(57)【要約】【課題】良好な組付け性を確保しつつ端子を確実に係止することが可能なハウジングを提供すること。【解決手段】端子収容室２５と、端子収容室２５へ挿し込まれるメス端子４１によって端子収容室２５から押し出されて一方向αへ回動し、メス端子４１の当接部５９が越えることで他方向βへ回動してメス端子４１の当接部５９を係止するランス７１と、を備え、ランス７１は、一方向αへの回動方向側の係止部８１と、他方向βへの回動方向側の逃げ部８３と、係止部８１と逃げ部８３との間の境界部８５と、を有し、境界部８５は、端子収容室２５に挿し込まれたメス端子４１の当接部５９よりも他方向βへの回動方向側に配置され、係止部８１及び逃げ部８３における境界部８５と反対側の上縁部７１ａ及び下縁部７１ｂは、境界部８５よりも端子収容室２５へのメス端子４１の挿入方向Ａの後方側に配置されている。【選択図】図８
2020166933.tif 000002
【特許請求の範囲】
【請求項１】
後端側に当接部を有する端子が挿し込まれて収容される端子収容室と、
前記端子収容室へ挿し込まれる前記端子によって前記端子収容室から押し出されて一方向へ回動し、前記端子の前記当接部が越えることで他方向へ回動して前記端子の前記当接部を係止するランスと、
を備え、
前記ランスは、
前記一方向への回動方向側の係止部と、
前記他方向への回動方向側の逃げ部と、
前記係止部と前記逃げ部との間の境界部と、
を有し、
前記境界部は、前記端子収容室に挿し込まれた前記端子の前記当接部よりも前記他方向への回動方向側に配置され、
前記係止部及び前記逃げ部における前記境界部と反対側のそれぞれの縁部は、前記境界部よりも前記端子収容室への前記端子の挿入方向の後方側に配置されている
ことを特徴とするハウジング。
【請求項２】
前記係止部は、前記境界部と前記縁部とにわたって形成された傾斜面である
ことを特徴とする請求項１に記載のハウジング。
【請求項３】
前記逃げ部は、前記境界部と前記縁部とにわたって形成された傾斜面であり、
前記ランスは、前記逃げ部が前記端子収容室に挿し込まれた前記端子の前記当接部に干渉することなく前記他方向へ回動される
ことを特徴とする請求項１または請求項２に記載のハウジング。
【請求項４】
前記端子収容室は、
底壁部と、
前記底壁部の両側部に形成された側壁部と、
少なくとも一方の前記側壁部に形成されて前記底壁部と対向する端子押えと、
を有し、
前記端子押えは、前記ランスに連結されている
ことを特徴とする請求項１から３のいずれか一項に記載のハウジング。
【請求項５】
前記端子押えが形成された前記側壁部は、前記端子押えに沿って形成されたスリットを有する
ことを特徴とする請求項４に記載のハウジング。
【発明の詳細な説明】
【技術分野】
【０００１】
本発明は、ハウジングに関する。
【背景技術】
【０００２】
端子を収容する端子収容室を備えたコネクタ用のハウジングは、端子収容室に挿入された端子の後端を係止して端子を抜け止めするランスを備えている（例えば、特許文献１，２参照）。
【先行技術文献】
【特許文献】
【０００３】
【特許文献１】特開２０１２−８４４０４号公報
【特許文献２】特開２０００−２９４３４０号公報
【発明の概要】
【発明が解決しようとする課題】
【０００４】
ところで、端子に接続されている電線が引っ張られると、端子を係止しているランスが変形して端子の係止力が低下するおそれがある。この場合、ランスの剛性を高めればよいが、端子の挿入に高い挿入力が必要となり、端子の組付け作業が困難となる。このため、端子を確実に係止することができ、しかも、端子を容易に組付けることが可能なハウジングが要求されている。
【０００５】
本発明は、上述した事情に鑑みてなされたものであり、その目的は、良好な組付け性を確保しつつ端子を確実に係止することが可能なハウジングを提供することにある。
【課題を解決するための手段】
【０００６】
前述した目的を達成するために、本発明に係るハウジングは、下記（１）〜（５）を特徴としている。
（１）  後端側に当接部を有する端子が挿し込まれて収容される端子収容室と、
前記端子収容室へ挿し込まれる前記端子によって前記端子収容室から押し出されて一方向へ回動し、前記端子の前記当接部が越えることで他方向へ回動して前記端子の前記当接部を係止するランスと、
を備え、
前記ランスは、
前記一方向への回動方向側の係止部と、
前記他方向への回動方向側の逃げ部と、
前記係止部と前記逃げ部との間の境界部と、
を有し、
前記境界部は、前記端子収容室に挿し込まれた前記端子の前記当接部よりも前記他方向への回動方向側に配置され、
前記係止部及び前記逃げ部における前記境界部と反対側のそれぞれの縁部は、前記境界部よりも前記端子収容室への前記端子の挿入方向の後方側に配置されている
ことを特徴とするハウジング。
【０００７】
（２）  前記係止部は、前記境界部と前記縁部とにわたって形成された傾斜面である
ことを特徴とする上記（１）に記載のハウジング。
【０００８】
（３）  前記逃げ部は、前記境界部と前記縁部とにわたって形成された傾斜面であり、
前記ランスは、前記逃げ部が前記端子収容室に挿し込まれた前記端子の前記当接部に干渉することなく前記他方向へ回動される
ことを特徴とする上記（１）または（２）に記載のハウジング。
【０００９】
（４）  前記端子収容室は、
底壁部と、
前記底壁部の両側部に形成された側壁部と、
少なくとも一方の前記側壁部に形成されて前記底壁部と対向する端子押えと、
を有し、
前記端子押えは、前記ランスに連結されている
ことを特徴とする上記（１）から（３）のいずれか一つに記載のハウジング。
【００１０】
（５）  前記端子押えが形成された前記側壁部は、前記端子押えに沿って形成されたスリットを有する
ことを特徴とする上記（４）に記載のハウジング。
【００１１】
上記（１）の構成のハウジングによれば、ランスが、一方向への回動方向側の係止部と、他方向への回動方向側の逃げ部と、係止部と逃げ部との間の境界部とを有している。そして、境界部が端子収容室に挿し込まれた端子の当接部よりも他方向への回動方向側に配置され、係止部及び逃げ部における境界部と反対側のそれぞれの縁部が、境界部よりも端子収容室への端子の挿入方向の後方側に配置されている。
これにより、端子の当接部が境界部よりも端子の挿入方向の後方側の係止部に当接する。したがって、端子から引抜力が作用されると、ランスは、係止力が弱まる一方向へ回動することなく、係止力が強まる他方向へ引き寄せられる。これにより、ランスの剛性を高めることによる組付け作業性の低下を招くことなく、端子の係止力を高めることができる。
また、ランスは、境界部と反対側の縁部が境界部よりも挿入方向の後方側に配置された逃げ部を有するので、ランスの回動軌跡の半径を小さくすることができ、一方向へ回動したランスが復元して他方向へ回動する際の端子の当接部との干渉を抑制できる。
しかも、ランスの先端に逃げ部を有することで、復元して他方向へ回動する際の回動軌跡の半径が小さくなる。したがって、ランスが復元するために必要となる端子の当接部との余裕代を極力小さくすることができる。これにより、例えば、自動車等に車載したとしても、振動による端子収容室内での端子の変動を極力抑えることができ、相手側の端子との良好な接続信頼性を維持させることができる。
【００１２】
上記（２）の構成のハウジングによれば、係止部は、境界部と縁部とにわたって形成された傾斜面である。したがって、傾斜面からなる係止部に端子の当接部から引抜力が作用すると、ランスには、引抜力の分力が他方向へ回動させる力として作用する。したがって、端子の当接部へのランスの掛かり代を大きくしてランスによる端子の係止力を円滑に高めることができる。
【００１３】
上記（３）の構成のハウジングによれば、逃げ部は、境界部と縁部とにわたって形成された傾斜面であり、ランスが端子収容室に挿し込まれた端子の当接部に干渉することなく他方向へ回動される。したがって、一方向へ回動したランスが復元して他方向へ回動する際に、端子の当接部にランスの逃げ部が引っ掛かることを抑制でき、ランスを円滑に回動させて端子を確実に係止させることができる。
【００１４】
上記（４）の構成のハウジングによれば、端子から受ける引抜力によってランスに他方向へ向かう力が付与されると、ランスに連結された端子押えが端子収容室側へ変位される。これにより、端子収容室に収容された端子を端子押えによって押し下げて底壁部に押し付け、端子収容室にがたつきなく保持させることができる。
【００１５】
上記（５）の構成のハウジングによれば、端子押えが形成された側壁部に、端子押えに沿ってスリットが形成されている。したがって、端子押えの変位を円滑に行わせて端子の押え機能を円滑に発揮させることができる。
【発明の効果】
【００１６】
本発明によれば、良好な組付け性を確保しつつ端子を確実に係止することが可能なハウジングを提供できる。
【００１７】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１８】
【図１】図１は、本実施形態に係るハウジングの正面図である。
【図２】図２は、図１におけるＡ−Ａ断面図である。
【図３】図３は、端子挿入前の図１におけるＡ−Ａ断面図である。
【図４】図４は、インナーハウジングの端子収容室を示す斜視図である。
【図５】図５は、端子収容室の正面図である。
【図６】図６は、端子挿入前の端子収容室の正面図である。
【図７】図７は、図３におけるＢ部拡大図である。
【図８】図８は、ランスによるメス端子の係止箇所を示す図であって、図８（ａ）及び図８（ｂ）は、それぞれ図２におけるＣ部拡大図である。
【図９】図９は、参考例１に係るランスを備えたハウジングの図２におけるＣ部と同等の位置における拡大図である。
【図１０】図１０は、参考例２に係るランスによるメス端子の係止箇所を示す図であって、図１０（ａ）及び図１０（ｂ）は、それぞれ図２におけるＣ部と同等の位置における拡大図である。
【発明を実施するための形態】
【００１９】
本発明に関する具体的な実施形態について、各図を参照しながら以下に説明する。
【００２０】
図１は、本実施形態に係るハウジング１０の正面図である。図２は、図１におけるＡ−Ａ断面図である。図１及び図２に示すように、本実施形態に係るハウジング１０は、二つのメス端子（端子）４１を収容するメスハウジングである。ハウジング１０は、合成樹脂により形成されており、筒状のインナーハウジング２１と、インナーハウジング２１の外周面と間隔をあけて包囲する筒状のアウターハウジング２３とが連ねて形成されている。インナーハウジング２１には、根元における外周面にシール部材２４が装着されている。インナーハウジング２１の外周面とアウターハウジング２３の内周面との隙間には、オスハウジング（図示略）のフード部が挿入され、シール部材２４に密着することでシールされる。
【００２１】
ハウジング１０には、弾性変形可能な片持ち梁状のロックアーム３１が形成されている。ロックアーム３１は、先端部に係止部３３を有し、後端部を支点として係止部３３が揺動可能となっている。ロックアーム３１は、ハウジング１０が相手側のオスハウジング（図示略）に嵌合された際に、係止部３３がオスハウジングに形成された係止突起（図示略）を係止する。これにより、ハウジング１０がオスハウジングに嵌合した状態にロックされる。
【００２２】
インナーハウジング２１には、後方からメス端子４１が挿入される二つの端子収容室２５が形成されている。各端子収容室２５は、インナーハウジング２１の先端部が外部に開放され、オスハウジングに設けられたタブ状のオス端子（図示略）が先端側から挿入される。
【００２３】
端子収容室２５に挿入されて収容されるメス端子４１は、電線４３の端部に接続されている。メス端子４１は、オス端子が挿入されることでオス端子と電気的に接続される電気接続部４５と、電線４３の端部に圧着されて電線４３の導体と電気的に接続される電線接続部４７とを有している。メス端子４１が接続された電線４３には、メス端子４１との接続端に、ゴム栓４９が装着されている。ゴム栓４９は、端子収容室２５に嵌め込まれることで、端子収容室２５をシールする。
【００２４】
メス端子４１の電気接続部４５は、角筒状の箱部５１を備えている。箱部５１は、タブの挿入側と反対側の後端側が電線接続部４７に連設されている。
【００２５】
箱部５１は、底板部５３と、側板部５４と、上板部５６，５７とを備えている。上板部５６，５７は、それぞれの側板部５４を折り曲げることで形成されており、箱部５１の上部を塞ぐように互いに重ね合わされている。箱部５１の内部における上方には、バネ接点５８が設けられている。バネ接点５８は、箱部５１の内側の上板部５６における先端部に連設されて後端側へ折り返されている。
【００２６】
この電気接続部４５には、箱部５１に前方側からオス端子のタブが挿し込まれる。すると、タブが底板部５３とバネ接点５８との間に入り込み、バネ接点５８の弾性力によってタブの外面に接触する。これにより、メス端子４１とオス端子とが電気的に接続される。
【００２７】
また、このメス端子４１は、箱部５１の後端における上部が、電線接続部４７よりも上方へ張り出している。この上方へ張り出した箱部５１の後端には、当接部５９が設けられている。当接部５９は、上板部５７の縁部であり、メス端子４１の後端側へ僅かに突出されている。
【００２８】
図３は、端子挿入前の図１におけるＡ−Ａ断面図である。図４は、インナーハウジング２１の端子収容室２５を示す斜視図である。図５は、端子収容室２５の正面図である。図６は、端子挿入前の端子収容室２５の正面図である。
【００２９】
図３〜図６に示すように、インナーハウジング２１の端子収容室２５は、底壁部６１と、一対の側壁部６３とで区画された溝状に形成されている。端子収容室２５の前端には、前壁部６５が形成されており、この前壁部６５には、オス端子が挿入される挿通口６６が形成されている。また、一方の側壁部６３の上縁には、端子押え６７が張り出している。この端子押え６７は、メス端子４１の挿入方向Ｓに沿って延在している。そして、この端子収容室２５は、底壁部６１、側壁部６３及び端子押え６７で囲われた空間部分が収容空間となっており、この収容空間に、メス端子４１の電気接続部４５を構成する箱部５１が収容される。
【００３０】
この端子収容室２５には、後端側に、ランス７１が設けられている。ランス７１は、後端側がインナーハウジング２１に一体に形成されており、先端側が端子収容室２５内へ向かって延在されている。このランス７１は、メス端子４１の挿入方向Ｓの前方へ向けられた先端部が、端子収容室２５の後端における上方位置に配置されている。
【００３１】
このランス７１は、端子収容室２５を形成する端子押え６７と一体に形成されている。また、端子押え６７が形成された一方の側壁部６３には、スリット６９が形成されている。このスリット６９は、メス端子４１の挿入方向Ｓに沿って端子押え６７の近傍位置に端子押え６７と平行に形成されている。
【００３２】
図７は、図３におけるＢ部拡大図である。図８（ａ）及び図８（ｂ）は、それぞれ図２におけるＣ部拡大図である。
図７及び図８（ａ）に示すように、ランス７１は、その先端部に、係止部８１と、逃げ部８３と、係止部８１と逃げ部８３との間の境界部８５とを有している。このランス７１は、端子収容室２５へ挿し込まれるメス端子４１の箱部５１によって端子収容室２５から押し出されて一方向αへ回動し、メス端子４１の当接部５９が越えることで他方向βへ回動してメス端子４１の当接部５９を係止する。
【００３３】
係止部８１は、端子収容室２５の内側から外側へ向かって、メス端子４１の挿入方向Ｓの後方へ傾斜する傾斜面となっている。これにより、係止部８１は、ランス７１の上面に対して９０°よりも大きい角度θ１に形成されている。また、逃げ部８３は、端子収容室２５の内側から外側へ向かって、メス端子４１の挿入方向Ｓの前方へ傾斜する傾斜面となっている。これにより、逃げ部８３は、ランス７１の下面に対して９０°よりも大きい角度θ２に形成されている。そして、ランス７１は、係止部８１と逃げ部８３との境界部８５が、挿入方向Ｓの前方側に突出され、ランス７１の係止部８１側の上縁部７１ａ及び逃げ部８３側の下縁部７１ｂが、境界部８５よりも挿入方向Ｓの後方側に配置されている。
【００３４】
端子収容室２５に挿入されたメス端子４１は、電気接続部４５の箱部５１の当接部５９がランス７１の前方に配置される。また、当接部５９は、境界部８５に対して係止部８１側に配置される。
【００３５】
次に、端子収容室２５へメス端子４１を収容させる場合について説明する。
ハウジング１０の端子収容室２５に電線４３が接続されたメス端子４１を後方から挿入する。すると、ランス７１は、端子収容室２５に挿入されるメス端子４１の電気接続部４５の箱部５１が当接することで、端子収容室２５から離間する上方へ押し出されて弾性変形する。具体的には、ランス７１は、インナーハウジング２１に一体に形成された根元を支点として一方向αへ回動するように弾性変形する。
【００３６】
メス端子４１の電気接続部４５が端子収容室２５の奥まで挿入されて箱部５１の当接部５９がランス７１を越えると、ランス７１の押し上げが解除される。すると、弾性変形していたランス７１が復元する。具体的には、ランス７１は、復元することで根元を支点として他方向βへ回動する。ここで、ランス７１の先端部は、端子収容室２５の内側から外側へ向かって、メス端子４１の挿入方向Ｓの前方へ傾斜する傾斜面である逃げ部８３を有している。したがって、復元して他方向βへ回動するランス７１は、その下縁部７１ｂの回動軌跡ＫＡ（図８（ａ），（ｂ）中二点鎖線で示す）の半径が小さくされ、メス端子４１の当接部５９への引っ掛かりが抑えられる。
【００３７】
そして、ランス７１が復元すると、ランス７１の先端部がメス端子４１の箱部５１における当接部５９の後方に入り込み、当接部５９が境界部８５よりも係止部８１側に配置される。これにより、メス端子４１がランス７１によって係止される。
【００３８】
このランス７１による係止状態では、メス端子４１は、箱部５１の当接部５９がランス７１の係止部８１に当接することで端子収容室２５から抜け止めされる。
【００３９】
このランス７１による係止状態において、電線４３が引っ張られてメス端子４１に対して端子収容室２５からの引抜方向へ引張力が付与されると、ランス７１の傾斜面である係止部８１における当接部５９の当接箇所には、垂直方向に引抜力Ｆが作用する。すると、ランス７１には、引抜力Ｆの分力からなる、メス端子４１の引抜方向に沿う押圧力Ｆｐと、引抜方向に対して端子収容室２５の内側へ向かって直交する押下力Ｆｄとが作用する。これにより、ランス７１は、押下力Ｆｄによって端子収容室２５の内側である他方向βへ向かって押し下げられ、メス端子４１の箱部５１をより係止する方向へ変位し、メス端子４１の当接部５９との掛かり代が大きくなって係止力が高められる。
【００４０】
また、ランス７１は、先端に逃げ部８３を有することで、復元して他方向βへ回動する際の回動軌跡ＫＡの半径が小さくされている。したがって、図８（ｂ）に示すように、ランス７１が復元するために必要となるメス端子４１の当接部５９との余裕代ＧＡが極力小さくなる。
【００４１】
また、ランス７１に押下力Ｆｄが作用することで、このランス７１と一体に設けられた端子押え６７が端子収容室２５へ向かって押し下げられる。これにより、端子収容室２５に収容されたメス端子４１の電気接続部４５の箱部５１が、端子押え６７によって押し下げられて底壁部６１に押し付けられる。したがって、メス端子４１が端子収容室２５にがたつきなく保持されることとなる。
【００４２】
ここで、形状の異なる参考例１，２に係るランスについて説明する。
図９は、参考例１に係るランス７１Ａである。このランス７１Ａは、先端部の全体が、端子収容室２５の内側から外側へ向かって、メス端子４１の挿入方向Ｓの前方へ傾斜する傾斜面である係止部８１Ａとなっている。
【００４３】
このランス７１Ａでは、電線４３が引っ張られて係止部８１Ａにおける当接部５９の当接箇所に引抜力Ｆが作用すると、ランス７１Ａには、引抜力Ｆの分力からなる、メス端子４１の引抜方向に沿う押圧力Ｆｐと、引抜方向に対して端子収容室２５の外側へ向かって直交する押上力Ｆｕとが作用する。このため、ランス７１Ａは、押上力Ｆｕによって端子収容室２５の外側である一方向αへ向かって押し上げられ、メス端子４１の箱部５１から外れる方向へ変位し、メス端子４１の当接部５９との掛かり代が小さくなって係止力が低下するおそれがある。
【００４４】
図１０は、参考例２に係るランス７１Ｂである。このランス７１Ｂは、先端部の全体が、端子収容室２５の内側から外側へ向かって、メス端子４１の挿入方向Ｓの後方へ傾斜する傾斜面である係止部８１Ｂとなっている。
【００４５】
このランス７１Ｂでは、電線４３が引っ張られて係止部８１Ｂにおける当接部５９の当接箇所に引抜力Ｆが作用すると、ランス７１Ａには、引抜力Ｆの分力からなる、メス端子４１の引抜方向に沿う押圧力Ｆｐと、引抜方向に対して端子収容室２５の内側へ向かって直交する押下力Ｆｄとが作用する。したがって、ランス７１Ｂでは、本実施形態に係るハウジング１０のランス７１と同様に、押下力Ｆｄによって端子収容室２５の内側である他方向βへ向かって押し下げられ、メス端子４１の箱部５１をより係止する方向へ変位し、係止力が高められる。
【００４６】
しかし、この参考例２に係るランス７１Ｂでは、係止部８１Ｂの全体を、端子収容室２５の内側から外側へ向かって、メス端子４１の挿入方向Ｓの後方へ傾斜する傾斜面としている。すると、ランス７１Ｂは、その下縁部７１ｂの回動軌跡ＫＢ（図１０（ａ），（ｂ）中二点鎖線で示す）の半径が大きくなり、端子収容室２５へ挿し込んだメス端子４１の箱部５１に引っ掛かり、メス端子４１の係止が円滑に行われなくなる。また、箱部５１へのランス７１Ｂの下縁部７１ｂの引っ掛かりを抑えるためには、ランス７１Ｂを後方へ配置させなければならず、この場合、端子収容室２５に収容させたメス端子４１の箱部５１とランス７１Ｂの係止部８１Ｂとの隙間が大きくなり、メス端子４１の挿入方向Ｓに沿うがたつきが大きくなってしまう。
【００４７】
つまり、ランス７１Ｂでは、先端に逃げ部８３がないことから、復元して他方向βへ回動する際の回動軌跡ＫＢの半径が大きくなる。このため、図１０（ｂ）に示すように、ランス７１Ｂが復元するために必要となるメス端子４１の当接部５９との余裕代ＧＢを大きく確保しなければならない。この余裕代ＧＢが大ききと、例えば、自動車等に車載した際に、振動によって端子収容室２５内でメス端子４１が前後へ大きく変動してしまい、オス端子との接続信頼性の低下が懸念される。
【００４８】
以上、説明したように、本実施形態に係るハウジング１０によれば、境界部８５と上縁部７１ａとにわたって形成された傾斜面である係止部８１にメス端子４１の当接部５９から引抜力Ｆが作用すると、ランス７１には、引抜力Ｆの分力からなる押下力Ｆｄが他方向βへ回動させる力として作用する。したがって、ランス７１は、係止力が弱まる一方向αへ回動することなく、係止力が強まる他方向βへ引き寄せられる。これにより、ランス７１の剛性を高めることによる組付け作業性の低下を招くことなく、メス端子４１の当接部５９へのランス７１の掛かり代を大きくしてランス７１によるメス端子４１の係止力を高めることができる。
【００４９】
また、ランス７１は、境界部８５と反対側の下縁部７１ｂが境界部８５よりも挿入方向Ａの後方側に配置された逃げ部８３を有するので、ランス７１の回動軌跡の半径を小さくすることができる。この逃げ部８３は、境界部８５と下縁部７１ｂとにわたって形成された傾斜面であり、ランス７１が端子収容室２５に挿し込まれたメス端子４１の当接部５９に干渉することなく他方向βへ回動される。したがって、一方向αへ回動したランス７１が復元して他方向βへ回動する際に、メス端子４１の当接部５９にランス７１の逃げ部８３が引っ掛かることを抑制でき、ランス７１を円滑に回動させてメス端子４１を確実に係止させることができる。
【００５０】
しかも、ランス７１の先端に逃げ部８３を有することで、復元して他方向βへ回動する際の回動軌跡ＫＡの半径が小さくなる。したがって、ランス７１が復元するために必要となるメス端子４１の当接部５９との余裕代ＧＡを極力小さくすることができる。これにより、例えば、自動車等に車載したとしても、振動による端子収容室２５内でのメス端子４１の前後への変動を極力抑えることができ、オス端子との良好な接続信頼性を維持させることができる。
【００５１】
なお、引抜力Ｆを受けた際にランス７１に作用する分力からなる押下力Ｆｄは、ランス７１の上面に対する係止部８１の傾斜角度θ１を変更することで、容易に調整することができる。また、逃げ部８３における回動軌跡の半径は、ランス７１の下面に対する逃げ部８３の傾斜角度θ２を変更することで、容易に調整することができる。
【００５２】
また、本実施形態に係るハウジング１０では、メス端子４１から受ける引抜力Ｆによってランス７１に他方向βへ向かう力が付与されると、ランス７１に連結された端子押え６７が端子収容室２５側へ変位される。これにより、端子収容室２５に収容されたメス端子４１を端子押え６７によって押し下げて底壁部６１に押し付け、端子収容室２５にがたつきなく保持させることができる。
【００５３】
しかも、端子押え６７が形成された側壁部６３に、端子押え６７に沿ってスリット６９が形成されている。したがって、端子押え６７の変位を円滑に行わせてメス端子４１の押え機能を円滑に発揮させることができる。
【００５４】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００５５】
例えば、上記実施形態では、係止部８１及び逃げ部８３を傾斜面としたが、これらの係止部８１及び逃げ部８３は、必ずしも傾斜面でなくてもよい。特に、逃げ部８３は、ランス７１の復元時にメス端子４１の当接部５９に干渉しない形状であれば、窪みや切欠きであってもよい。
【００５６】
ここで、上述した本発明の実施形態に係るハウジングの特徴をそれぞれ以下［１］〜［５］に簡潔に纏めて列記する。
［１］  後端側に当接部（５９）を有する端子（メス端子４１）が挿し込まれて収容される端子収容室（２５）と、
前記端子収容室（２５）へ挿し込まれる前記端子（メス端子４１）によって前記端子収容室（２５）から押し出されて一方向（α）へ回動し、前記端子（メス端子４１）の前記当接部（５９）が越えることで他方向（β）へ回動して前記端子（メス端子４１）の前記当接部（５９）を係止するランス（７１）と、
を備え、
前記ランス（７１）は、
前記一方向（α）への回動方向側の係止部（８１）と、
前記他方向（β）への回動方向側の逃げ部（８３）と、
前記係止部（８１）と前記逃げ部（８３）との間の境界部（８５）と、
を有し、
前記境界部（８５）は、前記端子収容室（２５）に挿し込まれた前記端子（メス端子４１）の前記当接部（５９）よりも前記他方向（β）への回動方向側に配置され、
前記係止部（８１）及び前記逃げ部（８３）における前記境界部（８５）と反対側のそれぞれの縁部（上縁部７１ａ，下縁部７１ｂ）は、前記境界部（８５）よりも前記端子収容室（２５）への前記端子（メス端子４１）の挿入方向（Ａ）の後方側に配置されている
ことを特徴とするハウジング。
【００５７】
［２］  前記係止部（８１）は、前記境界部（８５）と前記縁部（上縁部７１ａ）とにわたって形成された傾斜面である
ことを特徴とする上記［１］に記載のハウジング。
【００５８】
［３］  前記逃げ部（８３）は、前記境界部（８５）と前記縁部（下縁部７１ｂ）とにわたって形成された傾斜面であり、
前記ランス（７１）は、前記逃げ部（８３）が前記端子収容室（２５）に挿し込まれた前記端子（メス端子４１）の前記当接部（５９）に干渉することなく前記他方向（β）へ回動される
ことを特徴とする上記［１］または［２］に記載のハウジング。
【００５９】
［４］  前記端子収容室（２５）は、
底壁部（６１）と、
前記底壁部（６１）の両側部に形成された側壁部（６３）と、
少なくとも一方の前記側壁部（６３）に形成されて前記底壁部（６１）と対向する端子押え（６７）と、
を有し、
前記端子押え（６７）は、前記ランス（７１）に連結されている
ことを特徴とする上記［１］から［３］のいずれか一つに記載のハウジング。
【００６０】
［５］  前記端子押え（６７）が形成された前記側壁部（６３）は、前記端子押え（６７）に沿って形成されたスリット（６９）を有する
ことを特徴とする上記［４］に記載のハウジング。
【符号の説明】
【００６１】
１０  ハウジング
２５  端子収容室
４１  メス端子（端子）
５９  当接部
６１  底壁部
６３  側壁部
６７  端子押え
６９  スリット
７１  ランス
７１ａ  上縁部（縁部）
７１ｂ  下縁部（縁部）
８１  係止部
８３  逃げ部
８５  境界部
Ａ  挿入方向
α  一方向
β  他方向
【図１】
2020166933.tif 000003
【図２】
2020166933.tif 000004
【図３】
2020166933.tif 000005
【図４】
2020166933.tif 000006
【図５】
2020166933.tif 000007
【図６】
2020166933.tif 000008
【図７】
2020166933.tif 000009
【図８】
2020166933.tif 000010
【図９】
2020166933.tif 000011
【図１０】
2020166933.tif 000012